(57)【要約】【課題】セルフケアで使用してほぼ安全であり、細菌、ウイルス及び他の微生物に顕著な殺滅作用を有する家庭用の衛生口腔清浄方法及び用具の提供。【解決手段】可視波長で広い吸収スペクトルを有ししかも適度の量での消費には安全な感光剤；口腔内の血清、唾液または他の体液の有害な作用から感光剤を保護するための化合物を含む口腔衛生組成物。【選択図】図１
2005503422.tif 000002
【特許請求の範囲】
【請求項１】
可視波長で広い吸収スペクトルを有ししかも適度の量での消費には安全な感光剤；口腔内の血清、唾液または他の体液の有害な作用から感光剤を保護するための化合物を含むことを特徴とする口腔衛生組成物。
【請求項２】
該感光剤がセント・ジョーンズ・ワートの抽出物である請求項１の口腔衛生組成物。
【請求項３】
該感光剤がヒペリシンである請求項１の口腔衛生組成物。
【請求項４】
該感光剤がエリスロシンＢである請求項１の口腔衛生組成物。
【請求項５】
該感光剤が、ベクター分子と結合して、口腔内の有害な細菌を選択的に減少させることができるターゲティング機構を形成する請求項１の口腔衛生組成物。
【請求項６】
該ベクター分子が抗体である請求項５の口腔衛生組成物。
【請求項７】
該ベクター分子がポリリジン残基である請求項５の口腔衛生組成物。
【請求項８】
該口腔衛生組成物が口腔の患部に充分に接着し、所望の位置への該感光剤の付着を可能にし、そして唾液及び他の自然の身体防御の分解作用に充分な抵抗性を有する請求項１の口腔衛生組成物。
【請求項９】
請求項１の該経口衛生組成物の吸収特性と重複する発光波長を有ししかも請求項１の該経口衛生組成物を活性化するための要件に適合する電力の出力を有する少なくとも１つの光源；使用者の口腔内で該口腔衛生組成物へ該少なくとも１つの光源からの光を伝達する手段を含むことを特徴とする歯科用衛生装置。
【請求項１０】
（ａ）使用者の口腔内の表面へ請求項１の口腔衛生組成物を適用する段階；
（ｂ）請求項１の該口腔衛生組成物の吸収特性と重複する発光波長特性を有する少なくとも１つの光源並びに該少なくとも１つの光源から使用者の口腔内の該口腔衛生組成物へ光を伝達する手段を含む歯科用衛生装置により該口腔衛生組成物を活性化し、該少なくとも１つの光源は請求項１の該経口衛生組成物を活性化するための要件に適合する電力の出力を有する段階；そして
（ｃ）該使用者の口腔からすべての残存物を洗い流す段階
からなる口腔衛生方法。
【発明の詳細な説明】
【技術分野】
【０００１】
本発明は、一般に、流体及び口腔の損傷を与える作用に対して保護し口腔内の有害な細菌を排除する物質並びに感光剤を含む口腔清浄リンスそして光提供装置を使用して家庭で歯及び口腔を清浄する方法に関する。
【背景技術】
【０００２】
一般に、従来技術は、口腔の特定の問題すなわち損傷、創傷、微生物または歯周病に対応してのみ行われそして専門的なケアを必要とする光補助歯科治療法を使用している。その上、１５００ｎｍより低い波長のレーザーを使用すると、使用者を保護するために安全性の予防がとられなければならない危険が生ずる可能性がある。家庭でのセルフケアを可能にする装置は、より低い電力レベルでのレーザーを使用するが、清浄方法の有効性が低下する可能性がある。
【０００３】
さらに、光補助歯科治療の従来の方法は、口腔内の細菌に感光剤を付着させる基本的な保護物質を提供しない。この従来技術では、感光剤は、唾液、白血球及び口腔中の他の天然の防御物へ曝露すると、有効性が顕著に劣化する。感光剤は、これらの身体の防御機構から影響をうけない媒体または他の安全な媒体中では細菌に容易に結合するが、口腔内に存在する他の物質から感光剤を有効に保護できる立証された方法は存在していない。
【０００４】
炎症性歯周病は、人々にとって最もありふれた疾患であり、その進行した形の慢性歯周炎は、成人が歯を失う主な原因である。慢性歯周炎を治療する方法は、抗微生物治療により補強される病原菌を排除するための歯肉下のプラークの機械的除去を含む。これは、しばしば、切り味のにぶい道具を使用してこそげるかまたはそれ以外の物理的な力を用いてプラークを除くことを含む。この方法では、プラークの除去は、決して完全に成功することがない。治療に含まれる抗微生物剤を長期に使用することには不都合があり、特にその剤への抵抗性が増大して臨床的に無効になり、そして口腔のミクロフローラの妨害から生ずる障害がある。従って、プラークの形成を防止する予防的な清浄方法を開発することは、歯周病の生成を妨げることになるだろう。
【０００５】
特許文献１は、家庭における治療に利用できるが、特定の感光剤に適合する特定の波長でのレーザーを使用しなければならないレーザー歯ブラシを記述している。制限された吸収スペクトルは、感光剤を活性化するそれ以外の光源の有効性を低下させる。これらの安全上の制限は、この装置の家庭での使用を不可能にする。
【０００６】
特許文献２は、口腔衛生組成物中の感光剤を活性化させる特定の波長での光源を必要とする増強された感光剤による光化学療法（ＰＤＴ）を記述している。この従来技術は、有害な細菌のみをターゲティングし選択するメカニズムを有しない。
【０００７】
特許文献３は、医学分野の専門家による病院または他の医学的設備における使用を主な目的とする、口腔の創傷または損傷を滅菌するためのＰＤＴの方法を記述している。
【０００８】
一般に、本発明は、広い吸収スペクトルを有する感光剤を含みしかも家庭における口腔の使用に安全である光提供歯科用装置及び歯磨、うがい剤、リンスまたはゲルによる歯科のセルフケアの方法を提供する。
【０００９】
【特許文献１】
米国特許５６５８１４８
【特許文献２】
米国特許６０５６５４８
【特許文献３】
米国特許５６１１７９３
【発明の開示】
【発明が解決しようとする課題】
【００１０】
セルフケアにとりほぼ安全である一方、細菌、ウイルス及び他の微生物に顕著な殺滅作用を有する一般的な衛生口腔清浄方法の要請を満たすことが本発明の目的である。口腔清浄方法は、歯、プラーク、舌、頬内部組織、歯肉、歯肉下のプラーク、食品または他の残存物、口蓋及び唾液腺を含むがこれらに限定されない口腔中のすべての組織、細菌または他の物質の治療を目的としている。
【００１１】
治療の有効な効果を増加させるのに使用する感光剤を含む口腔衛生組成物として一般的に記述されている歯科用の歯磨、うがい剤、リンスまたはゲルを提供するのが本発明の他の目的である。
【００１２】
広い吸収スペクトルを有する感光剤を提供するのが本発明の他の目的である。
【００１３】
歯及びプラークへの接着を促進しそして口腔内に天然に存在する血液血清、唾液及び他の物質の有害な作用に対して感光剤を確実に保護して有効な光活性化を可能にする口腔衛生組成物中の物質を提供するのが本発明の他の目的である。
【００１４】
口腔衛生組成物が有害な微生物と良性のものとを区別し従って口腔の微生物のバランスを良い方向に変更することを可能にするターゲッティング成分を提供するのが本発明の他の目的である。
【００１５】
感光剤を活性化しそして口腔中の有害な微生物の排除を助ける光の伝達を可能にする歯科用装置を提供するのが本発明の他の目的である。
【課題を解決するための手段】
【００１６】
簡単にいえば、本発明は、可視範囲の広い吸収スペクトルを有する感光性口腔衛生組成物と関連して可視範囲の光源を使用する歯及び口腔のセルフクリーニング用の方法及び物質を提供する。本発明は、感光剤及び光源の使用により有害な細菌を選択的に排除する。本発明は、感光剤を活性化しそして口腔中の有害な細菌を殺滅する光提供歯科用装置の使用を含む。それは、口腔の疾患、炎症及び感染を防ぐかまたは阻止する。
【００１７】
本発明の上記及び他の目的、特徴及び利点は、図面と関連して以下の記述を読むことから明らかになるだろう。
【００１８】
従来の技術では、要約すると、ＰＤＴの装置は、感光剤を活性化するのに有効であるために、特定の波長の光源を必要とする。従来の技術で使用される感光剤は、活性化のための特定の波長、特に可視の領域のそれを必要とする。
【００１９】
さらに、従来の技術は、消費者による使用及び操作を充分に考慮していない。本発明は、治療よりむしろ予防的なクリーニングの要求を満たす。これに対して、従来の技術は、訓練をうけた医学の専門家により通常処理される問題−現在の歯科の問題または口腔の損傷の治療を取り扱う。
【００２０】
従来技術は、一般に、有害な作用を有する物質がまったくない環境で、プラークに付着するのに感光剤が有効であることを証明している。しかし、従来技術は、一般に、身体の天然の防御物質及び他の物質の分解作用から光で活性化された化合物を保護することに関するメカニズムまたは基本的な歯科用材料または物質を提供することができていない。血液の血清及び唾液並びに他の物質は、プラークへの付着する感光剤の能力を劣化させる。
【００２１】
最後に、従来技術は、有害な細菌のみへ選択的に方向付けられそして他のより有害でない微生物が存在するように残すことにより口腔の微生物のバランスを積極的に変更する感光剤とともにターゲッティングするメカニズムを含まない。
【００２２】
図１に示されるような１つの好ましい態様では、特許文献１で示されるものに似た歯科用装置が使用される。発光ダイオードまたはランプは、この態様では歯科用装置において光源となる。光源は、回転するブラシのヘッドの環状の構造の毛の間またはその中間から発光する。口腔衛生組成物は、従来の歯ブラシの使用によりまたは他の手段により、歯科用装置から適用される。低粘度の口腔衛生組成物の使用は、必然的に口腔への特定の投与量を摂取させ、そして口腔中に組成物を移動させるには、うがい剤を使用する。同様に、より高い粘度を有する口腔衛生組成物は、必然的に従来の歯磨を使用するような使用になる。感光剤は、図４に示されるような広い吸収バンドを有する。それは、全部ではないにしても、ほとんどの可視の光源を吸収できる。Ｈｙｐｅｒｉｃｕｍ  Ｐｅｒｆｏｒａｔｕｍ（セント・ジョーンズ・ワート）の抽出物であるヒペリシンは、好ましい態様における好適な感光剤である。６３０ｎｍの波長でのレーザーは、可視光の他の波長のように、この態様では好適である。歯ブラシは、歯間の空所からの感光剤の除去とともに、口腔衛生組成物の導入による有効なクリーニングを確実にするために、環状のヘッドのまわりに間隔をおいて配置されたより長い毛を含む。
【００２３】
ヒペリシンは純粋な形で抽出できるが、セント・ジョーンズ・ワートの他の抽出物は、僅かな量の無害の不純物とともに主な化学物質としてヒペリシンを含む。これらの抽出物は、また本発明での使用に好適である。不純なヒペリシンのコストは、また純粋な形よりも低い。
【００２４】
本発明で使用するのに好適な他の可能な感光剤は、エリスロシンＢである。米国特許６２５４８５６は、プラークの同定のための組成物中のエリスロシンＢの使用を記述している。エリスロシンＢは、チロシンの酸化により形成される赤色の物質である。本発明で感光剤として使用されるのに充分に適した感光薬剤であることが証明されている。
【００２５】
口腔衛生組成物は、口腔内で天然に生ずる唾液、血液血清及び他の物質の分解作用に抵抗する組成物内の要素により、口腔の使用に充分に適している。この口腔衛生組成物の要素は、感光剤を保護しそして歯及びプラークへの付着を可能にしさらに光源による活性化を可能にするのに充分な時間分解に抵抗する。同じ要素またはそれ以外に追加されるものは、また口腔衛生組成物の粘度を増大させる。粘度の増大は、口腔衛生組成物の物理的性質を変更させる。この物理的性質を変更することにより、含まれている要素すなわち抵抗性の物質は、口腔内の処置部位例えば歯、歯肉または他の部位への付着を促進する。口腔衛生組成物中で使用するのに好適な抵抗性の要素は、周知の物質例えば二酸化珪素、燻蒸シリカ、シリカゲル、ヒドロキシエチルセルロース、ラノレート、及び他の脂肪酸を含む。米国特許６２５４３８８は、歯科漂白物質中の保護用のこれらの抵抗性物質の使用を記述している。珪酸ナトリウムは、口腔衛生組成物中の感光剤の有効性を劣化させ勝ちな鉄及び他の重金属へのその親和性によって有利である。鉄及び他の重金属は、口腔中の血液血清内に存在しそして有害な細菌にターゲッティングしそれらを殺す感光剤の有効性を劣化させる。口腔衛生組成物中の抵抗性の要素は、また唾液の酵素の働きの劣化作用から感光剤を保護する。珪酸ナトリウム及び他の抵抗性要素は、有効な処置を可能にするのに充分な時間これらの天然に存在する物質から感光剤を保護する。本発明は、それをプラーク及び歯への付着を理想的なものにするその品質並びにすべての分解に対するその抵抗性のために、口腔中の使用に充分に適している口腔衛生組成物を含む。すべての上記の抵抗性要素は、口腔衛生組成物の粘度を増加し、口腔内の歯または他の処置部位への付着を促進する。口腔衛生組成物内の感光剤の化学的及び物理的な保護は、有害な細菌の効果的な破壊を促進する。
【００２６】
他の好ましい態様では、図２で示されるように、口腔衛生組成物及び歯科用装置は、図１に記載されたのと類似している。レーザーは、この態様での光源である。水源は、水または同様な液体とともに歯ブラシによって口腔にレーザーを運ぶ。装置に含まれる液体ジェットは、全反射法を使用して光を運び、レーザー源を本質的に安全にする。装置の毛は、また光ファイバー伝達物として働くことができる。光ファイバーとして働くより長い毛は、また歯間の空所の感光剤を活性化するのを助ける。口腔は、前記したそれに類似した方法で清浄にされる。
【００２７】
図３に示される他の好ましい態様では、感光剤は、わずかに異なる歯科用装置によって活性化され、ダイオード、ランプ、レーザーまたは他の光源が使用できる。ヒペリシンまたは他の好適な感光剤の吸収スペクトルは、可視スペクトルの光を容易に吸収する。口腔衛生組成物は、口腔中に入れられそしてうがいされ、従来の歯ブラシにより適用されるか、または他の手段により適用される。光源は、口腔全体に適用され、感光剤を活性化しそして有害な細菌を殺滅させる。光は、口腔内の安全かつ容易な動作を可能にするサイズのものであり、そして光源の本体は、口腔内の困難な空間及び角度に接近可能なように継ぎ合わせられるかまたは畳むことができる。口腔衛生組成物は、次にブラシをかけられそして従来の歯の清浄方法と同様に洗い流される。
【００２８】
臨床上承認された化合物であるヒペリシンは、うつ病の治療に使用されそしてエイズ及びガン関連疾患に実験的に使用される感光剤である。米国特許６００１８８２は、ヒペリシンに関する種々の用途を記述している。ヒペリシンへの過剰な露出は、医薬を使用しているエイズ及びガンのテスト群における普通の副作用である日光に対する過敏性を生ずる。テスト群は、過敏性に関係のある発疹や他の皮膚疾患を経験した。本発明の態様では、ヒペリシンは、可能性のある有害反応を避けるために充分に少ない投与量で伝達される必要がある。ヒペリシンは、それが広い吸収スペクトルを有し、それを広範囲の可視光源で使用するのを理想的に行うために、好ましい感光剤である。その本発明の処方では、ヒペリシン及び他の感光剤は、セルフケアまたは専門家のケアのシステムの一部である。ヒペリシンの広い吸収スペクトルは、それを、予防的な家庭用ケアシステムにおける光源の配列により使用される理想的な候補者にする。さらに、有害な細菌に選択的に指向しそして口腔の微生物のバランスを良いほうに変更する口腔衛生組成物の能力は、主として予防的な用途に用いることを可能にする。しかし、本発明は、また医学の専門家により理想的に行われる活動である、口腔に既に存在している損傷及び他の医学的な問題に指向し治癒するのにも使用できる。
【００２９】
ヒペリシン及び他の感光薬剤は、ターゲティングメカニズムを形成する他の化合物と一緒にされ、口腔衛生組成物により口腔の微生物のバランスを良い方向に変更させる。ヒトに有益な微生物が口腔に存在する。口腔衛生組成物は、有害な細菌のみをターゲットにし殺滅する。図４は、可視範囲における吸収のヒペリシンの相対的定常性を示す。この特性は、態様に記載された可視光源からの吸収を増大する。
【００３０】
抗体は、主な免疫防御としてｂ細胞により生成される多数の蛋白分子である。それらは、口腔中のターゲティングする細菌に有効であることが証明されている。米国特許６２５１４１９は、歯周炎の結果として失われる歯肉及び他の口腔組織を再生するために抗体を使用する利点を記述している。有害な細菌に指向する抗体の能力は、それを本発明のベクター分子として使用するのに好適である。
【００３１】
ベクター分子として使用するのに充分適した他の物質は、ポリリジン残基である。ポリリジンは、ターゲティング医薬担体として働くことのできるポリマーである。それは、感光薬剤と合体して口腔中の有害な細菌のさらに特定なターゲティングを可能にする。米国特許６２６２０３０は、身体の空洞中の有害な疾患に指向するために種々の薬剤と合体するポリリジンの使用を記述している。そのターゲティング特性は、本発明で使用するのに好適である。
【００３２】
本発明は、以下の実施例によりさらに説明されるが、それにより制限されるものではない。
【実施例１】
【００３３】
歯科用装置が図１に従って使用される。源２０は、電力を供給する。源１８は、水または他の液体そして口腔衛生組成物を供給する。リンスは、また回転するブラシヘッド１０に直接適用される。ダイオード、ランプまたは他の光源は、出口１４から発光する。水、口腔衛生組成物及び光源は、環状のブラシヘッド１０の毛の間またはその中間で出口１４で装置からでる。口腔衛生組成物の適用後そして有害な細菌のターゲティングを可能にする適当な時間後、使用者は光源１４を作動する。回転ブラシヘッド１０のより長い毛１６は、標準の毛１２を越えて延び、歯間及び他の到達の困難な空間からプラーク及び感光剤を除く。源１８からの水は、方法の終わりに残存物をすすぎ流すために用いられる。ブラシヘッド１０は、すりきれた毛を取り替えるために取り外し可能かつ置換可能な部品である。電源２０は、独立した直流の源または壁のソケットへのプラグに延長して、家庭及び旅行で使用できる。水源１８は、旅行用の移動可能な貯槽に接続するか、または適合する延伸可能または置換可能なコネクタを使用して、家庭または旅行の使用のために水栓に直接接続される。光源１４は、切れた電球またはダイオードを容易に取り替えることができるように、独立かつ置換可能な部品である。ダイオードまたはランプは、異なる波長で利用可能であり、感光剤の吸収スペクトルによる照射を最適にする。ヒペリシンは、広い吸収スペクトルを有し、白色が最適な源である。
【実施例２】
【００３４】
歯科用装置は、図２によりデザインされる。この態様は、図１に似ているが、但しレーザー源３２が照射源としてランプまたはダイオードの代わりに使用される。レーザーは、回転するブラシヘッド２２の中間でしかも水源３２のまわりまたはそれに隣接して出口２８から通る。源３２によりもたらされるレーザーは、全反射方法を使用するか、または別のファイバーによって水ジェットにより口腔に伝達される。別の毛２４は、またレーザーを通す光ファイバーの糸として働くこともできる。口腔衛生組成物は、実施例１への同様な条件で適用される。レーザー源３２は活性化され、そして歯は実施例１と同様に清浄にされる。レーザー源３２、ファイバー及び出口２８は、容易な置換を確実にするために、装置の独立した取り外し可能な部品である。より長い毛３０は、歯間の空所の適切な清浄を確実に行う。この態様では、光ファイバー伝達物として働く毛は、また照射を歯間の空所にあてる。
【実施例３】
【００３５】
歯科用装置または光源は、図３に従ってデザインされる。源４４は、ダイオード、レーザーまたは光源４０に電力を供給する。プラスチック本体４２は、曲げやすく、接合を有するか、または他の手段を使用して口腔のすべての部位への到達及び操作性を確実に行う。口腔衛生組成物は、従来の歯ブラシまたは他の手段の使用によって適用される。光源４０は次に作動し、それは感光剤を始動させる。使用者は、次に従来の歯ブラシまたは他の手段を用いて、歯を清浄にしそして口腔の歯及び他のところから残存物を除く。図３の光源４０は、また取り外すことができ、通常の使い古し及び破裂の場合に効果的な置換を確実に行うことができる。
【００３６】
図面に関して本発明の好ましい態様を記述したが、本発明は精密な態様に限定されず、そして種々の変化及び変更が、請求の範囲に規定された本発明の範囲または趣旨から逸脱することなく、当業者によって行うことができる。
【図面の簡単な説明】
【００３７】
【図１】特許文献１でほぼデザインされた歯科用装置の末端の図である。
【図２】レーザーよりむしろ光源としてダイオードまたはランプを示す歯科用装置の末端の図である。
【図３】光源として発光ダイオードまたはランプを利用する別の光供給装置の図である。
【図４】主として可視の波長の領域のヒペリシンの吸収スペクトルのグラフである。
【符号の説明】
【００３８】
１０          ブラシヘッド
１２          毛
１４          出口
１６          長い毛
１８          液体及び口腔衛生組成物の供給源
２０          電力源
２２          ブラシヘッド
２４          毛
２８          出口
３０          長い毛
３２          レーザー源
４０          光源
４２          プラスチック本体
４４          電力源
【国際公開パンフレット】
2005503422.tif 000003
2005503422.tif 000004
2005503422.tif 000005
2005503422.tif 000006
2005503422.tif 000007
2005503422.tif 000008
2005503422.tif 000009
2005503422.tif 000010
2005503422.tif 000011
2005503422.tif 000012
2005503422.tif 000013
2005503422.tif 000014
2005503422.tif 000015
2005503422.tif 000016
【国際調査報告】
2005503422.tif 000017
2005503422.tif 000018